(57)【要約】【課題】食器洗い機などに構成される、扉と洗浄槽、若しくは扉同士の合わせ部に弾性体のパッキンを有する構造体において、パッキンの掃除をする時にパッキンが長手方向にずれてしまいやすかったり、またそのずれ防止を施そうとするとパッキンの形状が複雑になり、コストが高いものになるという問題を有していた。【解決手段】パッキンを保持する複数のパッキン保持部品において、パッキン保持部分に突起を設ける。また、パッキンの材質、形状、用途等を鑑み、突起先端面をパッキンを挟んで反対側の保持部品面に合わせたり、或いは突起の位置をパッキン端部に設置したり、さらには複数の突起をパッキンを挟む両方の部材に設ける。【選択図】　図１
2004089323.tif 000002
【特許請求の範囲】
【請求項１】
扉と筐体若しくは扉同士の嵌合部に、弾性体により形成されるパッキンが設置されている、開閉自在の扉を有する構造体の中で、シールに要するパッキンが、部品同士の挟み込みにて保持されているタイプにて、パッキンを保持する部品のパッキン挟み込み箇所に、突起を設けたことを特徴とするパッキン取付構造。
【請求項２】
被洗浄物を収納する洗浄槽、及び洗浄槽内に洗浄・すすぎのために用いる洗浄水・すすぎ水等の供給を行うための給水手段、及び洗浄槽から排出するための排出手段、並びに供給された洗浄水・すすぎ水を被洗浄物の洗浄・すすぎをするために供給する装置・噴射口が洗浄槽内に設けられ、且つ、外郭扉構造として、扉と洗浄槽、若しくは扉同士の合わせ部にシール構造を有した食器洗い機において、扉に取付けられるパッキンが、部品同士の挟み込みによって保持されており、且つ挟み込み箇所に突起が設けられていることを特徴とする食器洗い機。
【請求項３】
パッキンの取付け部位において、パッキンのシール面と反対側の面に突起を設けたことを特徴とする請求項２記載の食器洗い機。
【請求項４】
扉に取付けられているパッキンの挟み込み保持部品のうち少なくとも一つが、扉の補強材となっていることを特徴とした請求項２〜３記載の食器洗い機。
【請求項５】
扉に取付けられているパッキンの挟み込み保持部品が有する突起の先端位置がパッキンを挟んで対峙するもう一つのパッキン保持部品の壁位置になっていることを特徴とする請求項２〜４記載の食器洗い機。
【請求項６】
扉に取付けられているパッキンの挟み込み保持部品が有する突起の先端部が鋭利な刃状になっていることを特徴とする請求項２〜５記載の食器洗い機。
【請求項７】
扉に取付けられているパッキンの挟み込み保持部品のうち、パッキンを対峙する両方の部材に突起が設置されていることを特徴とする請求項２〜６記載の食器洗い機。
【請求項８】
設置された突起先端位置と突起と対峙するパッキン挟み込み保持部品面の距離と、対峙する保持部品面に設置された突起先端位置と自身の面との距離の合計が、パッキン挟み込み保持部品面間距離よりも小さいことを特徴とする請求項７記載のパッキン取付け構造。
【請求項９】
扉に取付けられているパッキンの挟み込み保持部品が有する突起の設置箇所が、パッキン長手方向の略端部となっていることを特徴とする請求項２〜７記載の食器洗い機。
【発明の詳細な説明】
【０００１】
【発明の属する技術分野】
本発明は食器洗い機等の扉閉時に扉と筐体、若しくは扉同士の合わせ部にパッキンを有する構造体に関する。
【０００２】
【従来の技術】
従来の食器洗い機のような扉とシール部を有する構造体においては、例えば図６のように、扉とパッキンの取付方法として、パッキンを扉の所定箇所に設置し、その上からパッキン押さえ板にて挟みこむ方式がある。（特許文献１参照）
また、例えば図７のように、パッキンを略コの字形形状に、またシール部材に突起を設けて、扉側に設けた溝に嵌め込む方式がある。（特許文献２参照）
【０００３】
【特許文献１】
特開２００２−１４３０７３号公報（第５頁　図２（ｂ））
【特許文献２】
特開２００１−２９９６１号公報（第１６頁　図１２）
【０００４】
【発明が解決しようとする課題】
しかしながら上記のパッキン取付構造を用いると、次のような問題があった。一般に、食器洗い機のように、残菜などの汚れを混在した洗浄水・すすぎ水が洗浄槽内に噴射される扉を有する筐体の場合、扉のシール部分は洗浄水・すすぎ水が常に噴射・流水される箇所とはならず、食材のカスや水垢等の汚れが滞留・付着しやすい状況となってしまう。さらに、シール構造には例えば発泡ゴムなどで構成された弾性体を用いることが多いが、表面に存在する粘着力や表面の凹凸部分などに汚れの溜まり易さに拍車を掛けている。そのため使用者は、しばしばパッキンを布巾などで拭き掃除をすることになるが、その際、拭き掃除により発生するパッキンと装着部の間で発生するせん断力にパッキンの保持構造が耐えられない場合、パッキンがずれてしまう等の問題が発生していた。例えば図６のような場合、保持部材のパッキンへの締め代を大きくしても、パッキンの硬度が小さければ、パッキン表面から加える長手方向への拭き掃除行為に対し、容易にパッキンの位置ずれが発生してしまう。
また、図７のような取付構造の場合、パッキンの形が、単純な押し出し成形で製作できる形状ではなく、インジェクション成形等、コストの高いものになってしまうという問題を有していた。
【０００５】
【課題を解決するための手段及び作用・効果】
上記目的を達成するために、請求項１では、パッキンの保持部位に突起を設けることにより、パッキンのずれが発生しにくくすることが出来る。またずれ防止構造をこのようにパッキンを保持する側に施すだけなので、パッキンに複雑な形状が不要で、押し出しや打ち抜きなど、安価な形状で製作することが出来る。
【０００６】
請求項２では、被洗浄物を収納する洗浄槽、及び洗浄槽内に洗浄・すすぎのために用いる洗浄水・すすぎ水等の供給を行うための給水手段、及び洗浄槽から排出するための排出手段、並びに供給された洗浄水・すすぎ水を被洗浄物の洗浄・すすぎをするために供給する装置・噴射口が洗浄槽内に設けられ、且つ、外郭扉構造として、扉と洗浄槽、若しくは扉同士の合わせ部にシール構造を有した食器洗い機において、扉のパッキン取付構造が請求項１記載のいずれかの方法となるようにすることで、食材カスや水垢がパッキン部に付着した場合に、食器洗い機使用者がパッキンを布巾等で汚れを落とそうとする際、パッキン長手方向にパッキンがずれるのを防止することが出来る。
【０００７】
請求項３では、パッキンの取付け部位において、パッキンのシール面と反対側の面に突起を設けることにより、シール動作、及びシール面の掃除の際にパッキン長手方向にパッキンがずれるのを防止することが出来る。
【０００８】
請求項４では、請求項２の形状を有しながらも、挟み込み保持部品のうち、少なくとも一つを扉の補強部材とすることにより、補強部材の取付けだけで、扉の補強効果に加え、ずれ防止が可能なパッキン取付けを行うことが出来る。
【０００９】
請求項５では、パッキン取付け時に、パッキン挟み込み箇所の突起先端位置がパッキンを挟んで対峙するもう一つのパッキン保持部品の壁位置になっていることで、パッキンを取付けた時にパッキンを突起が貫通し、ズレ防止をより強力にすることが出来る。
【００１０】
請求項６では、突起部先端を鋭利な刃状にすることにより、パッキン取付け時に突起が確実にパッキンを突き破り、ズレ防止を確実に行うことが出来る。
【００１１】
請求項７では、パッキンを保持する複数のパッキン保持部品において、パッキンを挟んで対峙する両方の部材に突起を設置することにより、例えば請求項４のようなパッキンを突き破る方式が採れないシリコンゴム等の裂けやすいパッキンをも、ずれにくく保持することが出来る。
【００１２】
請求項８では、設置された突起先端位置と突起と対峙するパッキン挟み込み保持部品面の距離と、対峙する保持部品面に設置された突起先端位置と自身の面との距離の合計が、パッキン挟み込み保持部品面間距離よりも小さい構造を採ることで、突起同士の掛かり合せ構造が構成され、結果、突起によるずれ防止効果を、より強固に行うことが出来る。
【００１３】
請求項９では、突起の設置箇所をパッキンの長手方向略端部とすることにより、パッキンの端からズレを防止することができる。
【００１４】
【発明の実施の形態】
以下、図１〜図３に基づき、第１の実施例について説明する。本実施例は、上下２枚扉を有する食器洗い機の上扉下部のシール部構造を示している。
図１（ａ）は、上下２枚扉を有する食器洗い機の扉を閉じた状態での外観図を示す。また図１（ｂ）は、同、扉を開いた状態を示す。また、図２（ａ）は、図１（ａ）で示すＡ部の断面形状を示し、さらに図２（ｂ）では図２（ａ）の上扉２と下扉３の掛かり合せ部Ｂの拡大図を示している。また、図３（ａ）は上扉の外カバー６を外し、正面から見た図を示している。さらに、図３（ｂ）は、図３（ａ）のＣ部詳細を示す。
図１に示すように、食器洗い機本体１の前面に設けられた上下２枚の扉２，３は夫々独立して扉の下部を回動部４，５として開閉することが出来る。扉が閉じられた状態にては、図２（ａ）に示すように、洗浄槽内の洗浄水・すすぎ水が外部に漏れないよう扉のサイド面と洗浄槽枠間にシール構造が構成されている。なお、図２（ｂ）に示すように、上扉２と下扉３の掛かり合せ部Ｂにおいては、上扉２の回動部４の下部に設置された上扉シールパッキン８に下扉３の上辺に設置された掛かり合せリブ９が、上下扉閉時に押付けられる状態となる。
この上扉２に設置された上扉シールパッキン８は、パッキン押さえ板７により固定されている。そして、上扉シールパッキン８の取付け面１３には、突起１１が設置されている。
本実施例のように、食器洗い機など残菜が混在した洗浄水などが洗浄槽内で噴射される装置の場合、使用者がパッキン部分を布巾で拭くなど、清掃作業を行うことがある。その際、パッキン８の長手方向１４（図３（ａ））に拭くと、パッキン８と取付け面１３の間にパッキンがずれる方向の専断力が働くが、突起１１によりずれを防止することが出来る。
さらに、パッキン押さえ板７が上扉２の反りや変形を防止する補強材を兼ねることもできる。
なお、突起１１のパッキン長手方向位置は図３（ａ）のような位置となっているが、図３（ｂ）のように、突起の設置位置をパッキン長手方向の端部１３にすることにより、端部の微小なずれ防止をも行うことができる。
【００１５】
次に図４に基づき、第２の実施例について説明する。本実施例では、パッキン押さえ板７を取付けた際に、突起１１の先端位置がパッキン押さえ板７端面と略同一となっている。
こうした構造を採ることにより、上扉シールパッキン８の取付時に、パッキン押さえ板７と突起１１により挟持された上扉シールパッキン８は突起１１接触部分で貫通若しくは、パッキン押さえ板取付力と同等の締付力で固定され、結果、強固なズレ防止構造となる。なお、突起先端を鋭利な刃状にすることにより、予めパッキンを突起が貫通するようにすることも可能である。
【００１６】
次に図５に基づき、第３の実施例について説明する。本実施例では、パッキン押さえ板１１からの突起１２とパッキン取付面１０からの突起１１の両方を設けることで、パッキンを長手方向に互い違いに突起で挟み込んでいる。
こうした構造を採ることにより、パッキンのズレ防止をより強固にしたり、或いはパッキンの突起貫通による耐引裂きが懸念される場合の防止策とすることが出来る。
また、図５中の、パッキン取付面上の突起と突起に対峙するパッキン押さえ面との距離１５とパッキン押さえ板上の突起と突起に対峙するパッキン押さえ面との距離１６の距離の合計をパッキン取付面とパッキン押さえ板との距離１７よりも小さくすることで、突起は互い違いに配列されることになり、さらに強固にずれ防止を行うことが出来る。
【図面の簡単な説明】
【図１】本発明におけるパッキン取付構造の第１の実施例である上下２枚扉の食器洗い機を示す図である。
（ａ）扉を閉じた状態
（ｂ）扉を開いた状態
【図２】図１（ａ）の扉を閉じた状態のパッキン取付構造部断面を示す。
（ａ）図１（ａ）のＡ部断面
（ｂ）図２（ａ）のＢ部詳細
【図３】上扉の外カバーを外した状態図を示す。
（ａ）正面から見た図を示す。
（ｂ）図３（ａ）のＣ部詳細を示す。
【図４】本発明におけるパッキン取付構造の第２の実施例を示す図である。
【図５】本発明におけるパッキン取付構造の第３の実施例を示す図である。
（ａ）前面からみたところ
（ｂ）図５（ａ）のＤ部断面
（ｃ）図５（ｂ）のＥ部断面
【図６】従来の扉とパッキン取付方法実施例を示す図である。
【図７】従来の扉とパッキン取付方法実施例を示す図である。
【符号の説明】
１…食器洗い機本体
２…上扉
３…下扉
４…上扉下部の回動部
５…下扉下部の回動部
６…上扉の外カバー
７…パッキン押さえ板
８…上扉シールパッキン
９…掛かり合せリブ
１０…パッキン取付面
１１…突起（パッキン取付面１０上の突起）
１２…突起（パッキン押さえ板１１上の突起）
１３…パッキン長手方向の端部
１４…パッキンの長手方向
１５…パッキン取付面上の突起と突起に対峙するパッキン押さえ面との距離
１６…パッキン押さえ板上の突起と突起に対峙するパッキン押さえ面との距離
１７…パッキン取付面とパッキン押さえ板との距離
【図１】
2004089323.tif 000003
【図２】
2004089323.tif 000004
【図３】
2004089323.tif 000005
【図４】
2004089323.tif 000006
【図５】
2004089323.tif 000007
【図６】
2004089323.tif 000008
【図７】
2004089323.tif 000009